(57)【特許請求の範囲】
【請求項１】
回転可能に設けられ、バネ機構によって巻き取りの方向に付勢される巻き取りシャフトと、
前記巻き取りシャフトに取り付けられ、前記巻き取りシャフトの回転によって引き出し及び巻き取りが行われ、前記バネ機構の付勢によって前記巻き取りシャフトに巻き取られるスクリーンと、
前記スクリーンの左右の両縁部分に設けられたガイド部と、
を備え、
前記ガイド部は、
前記スクリーンの一方面側に凸となるように設けられ、前記スクリーンの進退方向に延びるよう設けられた凸型ガイドと、
前記スクリーンの他方面側において前記凸型ガイドと重なる位置に凹となるように設けられ、前記進退方向に延びるよう設けられた凹型ガイドと、
前記凸型ガイドおよび前記凹型ガイドの厚さよりも薄く設けられた取り付け片と、を有し、
前記取り付け片に前記スクリーンの縁部を重ね合わせて取り付けると、前記スクリーンの表面と、前記ガイド部の前記凸型ガイドと前記スクリーンとの間の面とがほぼ同一平面になり、
前記バネ機構の付勢力によって前記スクリーンが巻き取られる際に、先に巻き取られた前記ガイド部の前記凹型ガイドに沿って、次に巻き取られる前記ガイド部の前記凸型ガイドが呼び込まれるように互いに重なり合うロールスクリーン。
【請求項２】
前記スクリーンの前記ガイド部が取り付けられていない部分の厚さは、前記ガイド部が取り付けられた部分の前記スクリーンと前記取り付け片との全体の厚さと同等である請求項１記載のロールスクリーン。
【請求項３】
前記ガイド部は、前記スクリーンの前記進退方向の全長にわたり設けられた請求項１または２に記載のロールスクリーン。
【請求項４】
前記ガイド部は、前記スクリーンの前記進退方向の全長の一部に設けられた請求項１または２に記載のロールスクリーン。
【請求項５】
前記ガイド部は、前記スクリーンと一体に設けられた請求項１〜４のいずれか１つに記載のロールスクリーン。
【請求項６】
ロールスクリーンのスクリーンに取り付けられるガイドテープであって、
一方面側に凸となるように設けられ、一方向に延びるよう設けられた凸型ガイドと、
他方面側において前記凸型ガイドと重なる位置に凹となるように設けられ、前記一方向に延びるよう設けられた凹型ガイドと、
前記凸型ガイドおよび前記凹型ガイドの厚さよりも薄く設けられた取り付け片と、を有し、
前記スクリーンの縁部を前記取り付け片に重ね合わせて取り付けると、前記スクリーンの表面と、前記ガイド部の前記凸型ガイドと前記スクリーンとの間の面とがほぼ同一平面になるガイドテープ。
【発明の詳細な説明】
【技術分野】
【０００１】
本発明は、ロールスクリーン及びガイドテープに関し、特にスクリーンの巻ずれを防止することができるロールスクリーン及びガイドテープに関する。
【背景技術】
【０００２】
ロールスクリーンは、巻き取りシャフトに巻き付けられたスクリーンを引き出すことで、窓の目隠しや日よけ、空間の間仕切りなどに利用される。また、スクリーンを巻き取りシャフトに巻き取ることで窓や空間を広く開けることができる。
【０００３】
このようなロールスクリーンにおいては、チェーンによって巻き取りシャフトを回転させてスクリーンを上下させたり、引き出す際には手で引っ張り、巻き取る際にはバネの付勢によって巻き取りシャフトを回転させてスクリーンを巻き取る機構が用いられる。
【０００４】
ここで、スクリーンを巻き取る際のバランスが悪いと巻ずれが発生してしまう。特許文献１では、スクリーンの両縁部に係合孔を設け、スプロケットで噛み合わせて巻ずれを防止する構成が開示される。また、特許文献２では、ロールパイプの両端にガイド機構となるリングを設けた構成が開示される。さらに、特許文献３では、巻き取り軸の両端側にズレ防止板を設け、ズレ防止板によってスクリーンを案内して巻き取る際のズレを防止する構成が開示される。
【先行技術文献】
【特許文献】
【０００５】
【特許文献１】特開平８−１７７３５１号公報
【特許文献２】特開２０１１−０１２４３０号公報
【特許文献３】特開２００６−２９９８０１号公報
【発明の概要】
【発明が解決しようとする課題】
【０００６】
しかしながら、係合孔にスプロケットを噛み合わせる構成やガイド機構となるリングを設ける構成では機構が複雑になるという問題がある。また、ズレ防止板を設ける構成では、スクリーンの縁がズレ防止板に接触するため、スクリーンの縁の破損や接触抵抗によって滑らかな開閉動作の妨げになるという問題が生じる。
【０００７】
本発明の目的は、簡単な構成で開閉動作の妨げにならない巻ずれ防止機構を備えたロールスクリーン及びガイドテープを提供することである。
【課題を解決するための手段】
【０００８】
上記課題を解決するため、本発明のロールスクリーンは、回転可能に設けられた巻き取りシャフトと、巻き取りシャフトに取り付けられ、巻き取りシャフトの回転によって引き出し及び巻き取りが行われるスクリーンと、スクリーンに設けられたガイド部と、を備える。ガイド部は、スクリーンの一方面側に凸となるように設けられ、スクリーンの進退方向に延びるよう設けられた凸型ガイドと、スクリーンの他方面側において凸型ガイドと重なる位置に凹となるように設けられ、進退方向に延びるよう設けられた凹型ガイドと、を有する。
【０００９】
このような構成によれば、スクリーンを巻き取りシャフトに巻き取る際、スクリーンの巻き重なりとともにガイド部の凸型ガイドと凹型ガイドとが互いに重なることになる。すなわち、スクリーンの巻き取りにおいて先に巻き取られた凸型ガイド（または凹型ガイド）と、これから巻き取られる凹型ガイド（または凸型ガイド）とが互いに重なり合ってガイドとなり、スクリーンの巻き取りシャフトに沿った方向への位置が規制される。これによって、スクリーンの巻ずれが防止される。
【００１０】
本発明のロールスクリーンにおいて、ガイド部は、スクリーンの両端に設けられていてもよい。ガイド部がスクリーンの両端に設けられていることで、安定したガイドを行うことができる。
【００１１】
本発明のロールスクリーンにおいて、ガイド部は、スクリーンの進退方向の全長にわたり設けられていてもよい。これにより、スクリーンの巻き取り開始から全てを巻き取りまでガイドすることができる。
【００１２】
本発明のロールスクリーンにおいて、ガイド部は、スクリーンの進退方向の全長の一部に設けられていてもよい。スクリーンの巻き取りにおける一部においてガイドするだけであっても、そのガイド部分で巻ずれが修正されることになる。
【００１３】
本発明のロールスクリーンにおいて、ガイド部はスクリーンと一体に設けられていてもよい。これにより、ガイド部を別途取り付ける必要がなくなる。
【００１４】
本発明のガイドテープは、ロールスクリーンのスクリーンに取り付けられるガイドテープであって、一方面側に凸となるよう設けられ、一方向に延びるよう設けられた凸型ガイドと、他方面側において凸型ガイドと重なる位置に凹となるように設けられ、一方向に延びるよう設けられた凹型ガイドと、を備える。このガイドテープをスクリーンの進退方向に沿って取り付けることで、スクリーンを巻き取る際、スクリーンの巻き重なりとともにガイドテープの凸型ガイドと凹型ガイドとが重なり合い、スクリーンの巻き取りシャフトに沿った方向への位置を規制することができる。
【図面の簡単な説明】
【００１５】
【図１】（ａ）〜（ｄ）は、第１実施形態に係るロールスクリーンを例示する模式図である。
【図２】（ａ）及び（ｂ）は、ロールスクリーンの開閉状態を例示する模式図である。
【図３】（ａ）〜（ｅ）は、ガイド部の他の例を示す模式図である。
【図４】第２実施形態に係るロールスクリーンを例示する模式図である。
【図５】（ａ）及び（ｂ）は保冷車への適用例を示す模式図である。
【発明を実施するための形態】
【００１６】
以下、本発明の実施形態を図面に基づいて説明する。なお、以下の説明では、同一の部材には同一の符号を付し、一度説明した部材については適宜その説明を省略する。
【００１７】
（第１実施形態）
図１（ａ）〜（ｄ）は、第１実施形態に係るロールスクリーンを例示する模式図である。
図１（ａ）にはロールスクリーン１の全体が表され、図１（ｂ）には図１（ａ）のＡ部を拡大した斜視図が表される。図１（ｃ）には図１（ａ）のＸ１−Ｘ１線の断面図が表され、図１（ｄ）には図１（ａ）のＸ２−Ｘ２線の断面図が表される。なお、本実施形態において、スクリーン２０の進退方向（開閉方向）をＸ方向、スクリーン２０の厚さ方向をＺ方向、スクリーン２０の幅方向をＹ方向と言うことにする。また、巻き取りシャフト１０の回転軸ＡＸに沿った方向を軸方向と言うことにする。
【００１８】
図１（ａ）に表したように、本実施形態に係るロールスクリーン１は、回転軸ＡＸを中心に回転可能に設けられた巻き取りシャフト１０と、巻き取りシャフト１０に取り付けられたスクリーン２０と、スクリーン２０に設けられたガイド部３０と、を備える。
【００１９】
巻き取りシャフト１０はブラケット４０によって回転可能に支持される。ブラケット４０は、Ｙ方向に渡されるフレーム４１と、フレーム４１の両端に設けられた側板４２とを有する。ブラケット４０の側板４２には芯材（図示せず）が固定されており、この芯材の周りにチューブ状の巻き取りシャフト１０が回転可能に取り付けられている。なお、巻き取りシャフト１０はチューブ状に限定されず、中実の棒状であってもよい。
【００２０】
スクリーン２０はビニールや布製のシートであり、巻き取りシャフト１０にロール状に巻き付けられるよう柔らかい材料が用いられる。スクリーン２０の一端は巻き取りシャフト１０に固定されている。これにより、巻き取りシャフト１０を回転させることで、スクリーン２０は一端を起点として巻き取りシャフト１０に巻き付けられる。一方、スクリーン２０の他端にはＹ方向に延びるウエイトバー２５が取り付けられる。また、スクリーン２０の他端側には必要に応じてベルトなどの引き手部２７が設けられる。
【００２１】
このようなスクリーン２０は、巻き取りシャフト１０の回転とともに引き出し及び巻き取りが行われる。例えば、巻き取りシャフト１０にはバネ機構（図示せず）が内蔵されており、スクリーン２０を引き出す際の回転方向とは反対に付勢している。このバネ機構の付勢によってスクリーン２０は常に巻き取りシャフト１０に巻き取られる方向に付勢される。
【００２２】
巻き取りシャフト１０にはストップ機構（図示せず）が内蔵されている。これにより、スクリーン２０を任意の位置まで引き出した状態で固定できるようになっている。ストップ機構による巻き取りシャフト１０の固定を解除するには、スクリーン２０を僅かに引いて離すようにする。巻き取りシャフト１０の固定が解除されると、バネ機構による付勢力によって巻き取りシャフト１０が回転し、スクリーン２０を終点位置まで自動的に巻き取ることができる。
【００２３】
ガイド部３０は、例えばスクリーン２０の左右の両縁部分に設けられる。本実施形態では、ガイド部３０はガイドテープＧＴとしてスクリーン２０の縁に沿って取り付けられる。ロールスクリーン１において、ガイド部３０はスクリーン２０の進退方向の全長にわたり設けられる。
【００２４】
図１（ｂ）及び（ｃ）に表したように、ガイド部３０は、凸型ガイド３１と凹型ガイド３２とを有する。また、ガイド部３０には取り付け片３３が設けられている。この取り付け片３３にスクリーン２０の縁部２０ａを重ね合わせ、両者を縫製や接着、溶着などによって取り付ける。これにより、ガイド部３０がスクリーン２０の縁にしっかりと固定される。
【００２５】
ガイド部３０の凸型ガイド３１は、スクリーン２０の一方面側に凸となっており、スクリーン２０の進退方向（Ｘ方向）に延びるように設けられる。一方、凹型ガイド３２は、スクリーン２０の他方面側において凸型ガイド３１と重なる位置に凹となるように設けられる。凹型ガイド３２は、凸型ガイド３１と同様にＸ方向に延びるよう設けられる。
【００２６】
ガイド部３０は、例えばゴム系の可撓性を有する材料によって形成される。ガイド部３０はスクリーン２０とともに巻き取りシャフト１０に巻き取られる。凸型ガイド３１の断面視形状（以下、凸形状とも言う。）及び凹型ガイド３２の断面視形状（以下、凹形状とも言う。）は互いに略三角形になっている。凸形状における略三角形状の大きさは、凹形状における略三角形状の大きさと同等である。また、凸形状の中心は、凹形状の中心と合致する。つまり、Ｚ方向に見て、凸型ガイド３１及び凹型ガイド３２は互いに重なる位置に配置される。
【００２７】
一例として、ガイドテープＧＴの幅は約２０ｍｍ〜３０ｍｍ、取り付け片３３の幅はガイドテープＧＴの幅の約５０％〜６０％である。取り付け片３３の厚さは凸型ガイド３１及び凹型ガイド３２の部分厚さよりも薄くなっていて、取り付け片３３にスクリーン２０を取り付けるとスクリーン２０の表面と凸型ガイド３１が設けられた面とがほぼ同一平面になるように設けられる。凸型ガイド３１の高さは約０．９ｍｍ〜１．２ｍｍ、凹型ガイド３２の深さは凸型ガイド３１の高さと同等以上であり、約０．９ｍｍ〜１．４ｍｍである。また、凸形状及び凹形状の略三角形の頂角は、約１２０度〜１５０度程度である。
【００２８】
本実施形態に係るロールスクリーン１においては、スクリーン２０の両縁部分に上記のようなガイド部３０が設けられているため、スクリーン２０を巻き取りシャフト１０に巻き取る際、スクリーン２０の巻き重なりとともにガイド部３０の凸型ガイド３１と凹型ガイド３２とが重なることになる。すなわち、スクリーン２０が巻き取りシャフト１０に巻かれて重なる部分において、先に巻き取られたガイド部３０の凸型ガイド３１（または凹型ガイド３２）と、これから巻き取られる凹型ガイド３２（または凸型ガイド３１）とが互いに重なり合ってガイドとなり、スクリーン２０の巻ずれが防止される。
【００２９】
図１（ｄ）には、重なり合ったガイド部３０の状態が表される。巻き取りシャフト１０の周りに巻き取られることで、先に巻き取られたガイド部３０の凹型ガイド３２に沿って、次に巻き取られるガイド部３０の凸型ガイド３１が呼び込まれるように重なり合うことになる。これにより、スクリーン２０の回転軸ＡＸに沿った方向への位置が規制され、スクリーン２０の巻ずれが防止される。
【００３０】
ガイド部３０は、凸型ガイド３１の凸形状と凹型ガイド３２に凹形状との重なりによってガイド機能を発揮するため、凸形状及び凹形状を合わせておくことで、より効果的に巻ずれを防止することができる。
【００３１】
図２（ａ）及び（ｂ）は、ロールスクリーンの開閉状態を例示する模式図である。
図２（ａ）にはスクリーン２０を引き出した状態（閉状態）が表され、図２（ｂ）にはスクリーン２０を巻き取った状態（開状態）が表される。
【００３２】
本実施形態に係るロールスクリーン１では、バネによる付勢によってスクリーン２０を開くことができる。すなわち、図２（ａ）に表したスクリーン２０を引き出した状態で、スクリーン２０を僅かに引いて離すことでストップ機構（図示せず）が解除され、バネ機構（図示せず）による付勢によってスクリーン２０が終点位置まで自動的に巻き取られる（図２（ｂ）参照）。
【００３３】
この際、スクリーン２０に巻ずれが発生しそうになっても、ガイド部３０の凸型ガイド３１と凹型ガイド３２との互いの重なり合いによって修正され、巻ずれを起こすことなくスクリーン２０の巻き取りが行われる。
【００３４】
本実施形態に係るロールスクリーン１のガイド部３０は、特にバネ機構によって自動的にスクリーン２０が巻き取られる構造の場合に有効である。バネ機構によって自動的にスクリーン２０が巻き取られる構造では、スクリーン２０の巻き取りが開始されると最終位置まで自動的に巻き取りが続くことになる。もしガイド部３０が設けられていないと、巻き取りの際に生じた巻ずれが累積されて大きな巻ずれを起こすことになる。本実施形態のようにガイド部３０が設けられていることで、スクリーン２０が最終位置まで自動的に巻き取られても巻ずれを発生させずに済むことになる。
【００３５】
また、ガイド部３０がスクリーン２０の進退方向の全長にわたり設けられていることで、スクリーン２０の巻き取り開始から最終位置に達するまでスクリーン２０のガイドを行うことができる。
【００３６】
しかも、スクリーン２０の進退方向に沿って凸型ガイド３１及び凹型ガイド３２が延びており、巻き重なりととともに互いが重なり合ってガイドするため、巻き取りの際に大きな負荷がかからない。したがって、ガイド機構があってもスクリーン２０を滑らかに開閉することができる。
【００３７】
さらには、ガイドの際にスクリーン２０にガイド板などの部材が接触しないため、ガイドのためにスクリーン２０にダメージを与えることがない。また、ガイド部３０であるガイドテープＧＴを既存のスクリーン２０に取り付けるだけでよいため、複雑なガイド機構を設けることなく巻ずれを抑制することが可能になる。
【００３８】
（ガイド部の他の例）
次に、ガイド部の他の例について説明する。
図３（ａ）〜（ｅ）は、ガイド部の他の例を示す模式図である。
図３（ａ）に表したガイド部３０においては、凸型ガイド３１の断面視形状及び凹型ガイド３２の断面視形状がそれぞれ円弧状になっている。また、図３（ｂ）に表したガイド部３０においては、凸型ガイド３１の断面視形状及び凹型ガイド３２の断面視形状がそれぞれ矩形状になっている。いずれの例においてもスクリーン２０を巻き取る際にガイド部３０の凸型ガイド３１と凹型ガイド３２とが互いに重なり合い、スクリーン２０の巻ずれ防止のガイドとなる。
【００３９】
図３（ｃ）に表したガイド部３０においては、複数の凸型ガイド３１及び複数の凹型ガイド３２が設けられている。この例では、複数の凸型ガイド３１及び複数の凹型ガイド３２によって波型が構成される。このようなガイド部３０では、スクリーン２０を巻き取る際に複数の凸型ガイド３１のそれぞれと、複数の凹型ガイド３２のそれぞれとが互いに重なり合い、スクリーン２０の巻ずれ防止のガイドとなる。複数の凸型ガイド３１及び複数の凹型ガイド３２を備えるガイド部３０では、１つの凸型ガイド３１の高さが低く、１つの凹型ガイド３２の深さが浅くても、十分にガイド機能を発揮することができる。
【００４０】
図３（ｄ）に表したガイド部３０においては、ガイド部３０がスクリーン２０と一体的に設けられている。すなわち、スクリーン２０の縁部２０ａに例えば成形型を用いたプレス加工を施すことでガイド部３０を形成している。これにより、スクリーン２０に別途ガイド部３０を取り付ける必要がなくなる。また、スクリーン２０からガイド部３０が外れることがなくなる。
【００４１】
図３（ｅ）に表したガイド部３０においては、スクリーン２０の縁部２０ａに設けられた厚さの薄い部分に取り付け片３３を取り付けた構成である。これにより、ガイド部３０が取り付けられていない部分のスクリーン２０の厚さと、ガイド部３０が取り付けられた部分の全体の厚さとを同等にすることができ、巻き取られたスクリーン２０の径の差を抑制することができる。
【００４２】
（第２実施形態）
次に、第２実施形態に係るロールスクリーンについて説明する。
図４は、第２実施形態に係るロールスクリーンを例示する模式図である。
図４に表したように、本実施形態に係るロールスクリーン１Ｂにおいては、スクリーン２０の縁部２０ａに設けられるガイド部３０が、スクリーン２０の進退方向の全長の一部に設けられている。
【００４３】
図４に表した例では、スクリーン２０の上側（スクリーン２０を引き出した際の巻き取りシャフト１０側）の半分程度にガイド部３０が設けられている。スクリーン２０の左右の両縁部分にガイド部３０を設ける場合、上下方向で同じ位置、同じ長さで設けることが望ましい。
【００４４】
スクリーン２０の全長の一部にガイド部３０が設けられていても、スクリーン２０の巻き取りとともにガイド部３０が巻き取られる際に凸型ガイド３１と凹型ガイド３２とが重なり合ってスクリーン２０の巻き取りのガイドを行うことができる。また、スクリーン２０の巻き取りにおいて、ガイド部３０が設けられていない部分の巻き取りが行われる場合でも、先の巻き取りでガイド部３０によってガイドされているため、巻ずれの発生は十分に抑制される。
【００４５】
なお、スクリーン２０の全長の一部にガイド部３０を設ける場合、スクリーン２０の上側に設けることが望ましい。これにより、スクリーン２０を巻き取る際の巻き始めにガイドすることができる。スクリーン２０の巻き始めに巻ずれを抑制しておけば、その状態で巻き取りが連続して、最終位置まで綺麗に巻き取ることができるようになる。
【００４６】
一方、スクリーン２０の下側の一部にガイド部３０を設けられている場合、巻き取りの途中まで巻ずれが発生しても、凸型ガイド３１と凹型ガイド３２とが重なり合うことができる範囲内の巻ずれであれば途中からガイドして修正することができる。
【００４７】
（適用例）
次に、本実施形態に係るロールスクリーンの適用例について説明する。
図５（ａ）及び（ｂ）は保冷車への適用例を示す模式図である。
図５（ａ）には保冷車の全体像が示され、図５（ｂ）にはリアの扉が開いている状態が示される。
図５（ａ）に表したように、保冷車５００は、運転席５０１の後方の荷台部分に保冷庫５０２を備えている。保冷庫５０２の内部は冷却装置５０３によって冷凍や冷蔵を行う温度に保たれる。
【００４８】
図５（ｂ）に表したように、保冷庫５０２のリアに後方扉５１０が設けられており、後方扉５１０を開いて保冷庫５０２内の荷物を出し入れする。保冷庫５０２には側面扉５１５（図５（ａ）参照）が設けられていてもよい。
【００４９】
本実施形態に係るロールスクリーン１及び１Ｂは、保冷庫５０２の後方扉５１０や側面扉５１５の開口部分に設けられる。図５（ｂ）に示す例では、後方扉５１０の開口部分にロールスクリーン１及び１Ｂが設けられている。
【００５０】
後方扉５１０の開口部分にロールスクリーン１及び１Ｂを設けておくと、保冷庫５０２と外部との仕切りを確保することができる。これにより、後方扉５１０を開いても保冷庫５０２内にすぐに外気が入り込むことを防止することができる。
【００５１】
保冷庫５０２内の荷物を出し入れする場合には、スクリーン２０を巻き上げて開放する。バネ機構を備えたロールスクリーン１及び１Ｂであれば、引き手部２７を持ってスクリーン２０を僅かに引いて離すことで自動的に巻き取りが行われる。この際、ガイド部３０が設けられていることで、巻ずれなくスクリーン２０を滑らかに巻き取ることができる。
【００５２】
また、スクリーン２０を引き出す際にもガイド部３０によってガイドされるため、引き手部２７に多少斜めに力が加わってもスクリーン２０は真っ直ぐに引き出されることになる。
【００５３】
保冷車５００にロールスクリーン１及び１Ｂを用いる場合、保冷機能を確保するために厚手のスクリーン２０が使用される。また、強い付勢力によってスクリーン２０を巻き取るため、巻き取りの速度も速い。このため、特に巻き取りの際の巻ずれが発生しやすい。保冷車５００に本実施形態のロールスクリーン１及び１Ｂを適用することで、スクリーン２０の巻ずれを気にすることなく迅速にスクリーン２０の開閉を行うことができ、業務の効率化を図ることができる。
【００５４】
以上説明したように、実施形態に係るロールスクリーン１及び１ＢやガイドテープＧＴによれば、簡単な構成で開閉動作の妨げにならずにスクリーン２０の巻ずれを防止することが可能となる。
【００５５】
なお、上記に本実施形態及びその他の例を説明したが、本発明はこれらの例に限定されるものではない。例えば、ガイド部３０はスクリーン２０の両縁部分に設けられる場合のほか、３箇所以上に設けられていてもよい。また、例えばスクリーン２０の中央に１つのガイド部３０を設けた構成でもよい。また、スクリーン２０の巻き取りは、バネ機構による付勢によって行うもののほか、チェーンによって巻き取りシャフト１０を回転させてスクリーン２０を開閉する構造であっても適用可能である。また、前述の各実施形態またはその他の例に対して、当業者が適宜、構成要素の追加、削除、設計変更を行ったものや、各実施形態の特徴を適宜組み合わせたものも、本発明の要旨を備えている限り、本発明の範囲に含有される。
【符号の説明】
【００５６】
１，１Ｂ…ロールスクリーン
１０…巻き取りシャフト
２０…スクリーン
２０ａ…縁部
２５…ウエイトバー
２７…引き手部
３０…ガイド部
３１…凸型ガイド
３２…凹型ガイド
３３…取り付け片
４０…ブラケット
４１…フレーム
４２…側板
５００…保冷車
５０１…運転席
５０２…保冷庫
５０３…冷却装置
５１０…後方扉
５１５…側面扉
ＡＸ…回転軸
ＧＴ…ガイドテープ
【要約】
【課題】簡単な構成で開閉動作の妨げにならない巻ずれ防止機構を備えたロールスクリーン及びガイドテープを提供すること。
【解決手段】本発明のロールスクリーンは、回転可能に設けられた巻き取りシャフトと、巻き取りシャフトに取り付けられ、巻き取りシャフトの回転によって引き出し及び巻き取りが行われるスクリーンと、スクリーンに設けられたガイド部と、を備える。ガイド部は、スクリーンの一方面側に凸となるように設けられ、スクリーンの進退方向に沿って延びるよう設けられた凸型ガイドと、スクリーンの他方面側において凸型ガイドと重なる位置に凹となるように設けられ、進退方向に沿って延びるよう設けられた凹型ガイドと、を有する。
【選択図】図１【図１】
0005798263.tif 000002
【図２】
0005798263.tif 000003
【図３】
0005798263.tif 000004
【図４】
0005798263.tif 000005
【図５】
0005798263.tif 000006